【事件の表示】
　特願２０１０−５３８０２６「プログラムセグメント表示バー」拒絶査定不服審判事件〔平成２１年　６月２５日国際公開、ＷＯ２００９／０７９１３７、平成２３年　３月２４日国内公表、特表２０１１−５０９５５４〕について、次のとおり審決する。
【結　論】
　本件審判の請求は、成り立たない。
【理　由】
第１  手続の経緯
　本願は、２００８年１１月１５日（パリ条約における優先権主張外国庁受理２００７年１２月１４日、米国）を国際出願日とする出願であって、平成２４年１２月１３日付けで拒絶の理由が通知され、これに対して、平成２５年３月１日に手続補正がなされたが、同年１０月１８日付けで拒絶査定がなされた。これに対して、平成２６年１月８日に拒絶査定不服審判の請求がなされたものである。
　
　
第２　本願発明について
　本願の請求項に係る発明は、平成２５年３月１日付け手続補正書により補正された特許請求の範囲の請求項１ないし１４に記載された事項により特定されるものと認められるところ、その請求項１に係る発明（以下、「本願発明」という。）は、以下のとおりのものである。
　
「【請求項１】
　テレビ用メディアコンテンツ（１０６）に関するナビゲーション表示動作を開始する視聴者選択可能コマンドを受信する（３０２）ステップと、
　前記テレビ用メディアコンテンツ（１０６）の異なるセグメント（１２２）にそれぞれ対応するシーン画像（１１２）のプログラムセグメント表示バー（１０８）を生成するステップ（３０４）であって、前記シーン画像（１１２）が前記プログラムセグメント表示バー（１０８）に表示されて前記テレビ用メディアコンテンツのシーケンスを示すステップであって、当該プログラムセグメント表示バー内のシーン画像が、テレビ用メディアコンテンツ（１０６）のビデオストリーム（１１０）の開始部分から選択されたビデオフレームから生成されるものであって、前記プログラムセグメント表示バー（１０８）がタイトル、ロゴ、又は、画像によってテレビ用メディアコンテンツを特定する要約画像（１４８）を含むものと、
　前記プログラムセグメント表示バー（１０８）からのシーン画像（１２０）の視聴者選択を受信するステップ（３１０）と、
　前記選択されたシーン画像（１２０）に対応する前記テレビ用メディアコンテンツの前記セグメント（１２２）の開始部分（１２８）に移行するステップ（３１２）と、
　前記選択されたシーン画像（１２０）に対応する前記テレビ用メディアコンテンツの前記セグメント（１２２）の前記開始部分（１２８）から表示用に前記メディアコンテンツ（１０６）をレンダリング（rendering）するステップ（３１４）と
を含む方法（３００）。」
　
　
第３　引用例
（１）　引用例の記載
　原審の拒絶理由に引用された、特開２００７−１３４０１０号公報（以下、「引用例」という。）には、「情報処理装置、表示方法及びそのプログラム」として、図面とともに以下の事項が記載されている。
　
（ア）「【０００１】
  本発明は、動画像や静止画像等のコンテンツを再生可能な再生装置や当該コンテンツを更に記録することが可能な記録再生装置等の情報処理装置、そのような情報処理装置における表示方法及びそのプログラムに関する。」（４頁）
　
（イ）「【００１４】
  上記情報処理装置において、前記コンテンツは複数のフレームで構成された動画像であり、前記構成単位は前記動画像前記動画像を複数の区間に区分けするチャプターであり、前記構成単位代表画像は前記各チャプターの先頭フレームのサムネイル画像であり、前記第２の表示制御手段は、前記チャプターを前記第２の方向へ時系列順に表示するよう制御し、前記再生制御手段は、前記第２のユーザ操作が入力されたときに、前記選択された一のチャプターの動画像を前記先頭フレームから再生するよう制御するようにしても構わない。
【００１５】
  これにより、ユーザは複数のコンテンツの特定のチャプターを一の画面で容易かつ少ない操作数で選択して、再生させることが可能となる。」（５−６頁）
　
（ウ）「【００３６】
  図１は、本実施形態における記録再生装置１００の構成を示したブロック図である。同図に示すように、記録再生装置１００は、デジタルチューナ１、アナログチューナ２、Ａ／Ｄ（Analog / Digital）コンバータ３、ＭＰＥＧエンコーダ４、バッファコントローラ５、特徴点抽出部６、ＨＤＤ７、光ディスクドライブ８、ＣＰＵ（Central Processing Unit）９、ＲＯＭ（Read Only Memory）１０、ＲＡＭ（Random Access Memory）１１、ＭＰＥＧデコーダ１２、グラフィックコントローラ１３、Ｄ／Ａ（Digital / Analog）コンバータ１４、１５及び操作入力部１６等を備えており、各部はシステムバス１７により接続されている。
【００３７】
  デジタルチューナ１は、図示しないアンテナを通じて、デジタル放送の特定のチャンネルを選局してデジタルビデオ信号及びデジタルオーディオ信号を例えばＭＰＥＧストリームとして受信し、当該各信号を復調してバッファコントローラ５へ出力する。」（８頁）
　
（エ）「【００４４】
  ＨＤＤ７は、上記受信されたＭＰＥＧストリームを各タイトル（番組）のビデオコンテンツとして内蔵のハードディスクに記録するほか、各種プログラムやデータ等も記録し、またそれらを当該ハードディスクから読み出す。また、ＨＤＤ７は、上記記録した各ビデオコンテンツのタイトル名や記録日時、当該各タイトルを代表するサムネイル（縮小）画像（以下、コンテンツ代表画像と称する）等のタイトル情報や、後述する特徴点抽出部６によって抽出された特徴点データ、当該特徴点データを基に生成された各チャプターを代表するサムネイル画像（以下、チャプター代表画像と称する）等のチャプター情報も記録する。」（９頁）
　
（オ）「【００４６】
  特徴点抽出部６は、上記ＨＤＤ７または光ディスクドライブ８に記録後または記録前のＭＰＥＧストリームから、例えばシーンチェンジ、ＣＭ（コマーシャル）と番組本編との切り替わり、ハイライトシーン等の特徴的なシーンを抽出し、当該切り替わり位置をチャプターの区切り位置として、ＭＰＥＧストリームとして記録される（記録された）番組（以下、タイトルと称する）毎にチャプター分けを行う。特徴点抽出の具体的手法としては、例えば上記シーンチェンジの場合には、ＭＰＥＧストリームを構成する各フレーム毎の輝度成分や音量情報を基に１フレーム毎に特徴点を検出し、各フレームの特徴点の変化や大小を比較する等して特徴的なシーンを抽出し、当該シーンをチャプターの区切り位置として抽出する方法や、ＣＭと番組本編との切り替わりの場合には音声信号のステレオ／モノラルの切り替わり位置を検出する方法等がある。抽出された特徴点データは、上述したように、タイトル毎のチャプター情報としてＨＤＤ７にデータベース化されて記憶され、また各チャプターの先頭フレームのサムネイル画像は、上記チャプター代表画像としてタイトル毎にＨＤＤ７に記憶される。」（９頁）
　
（カ）「【００５４】
  操作入力部１６は、ボタン、スイッチ、キー、操作確認用の表示器や、リモートコントローラ２１（以下、リモコン２１と称する）から送信される赤外線信号の受光部等で構成され、ユーザの操作による各種設定値や指令を入力してＣＰＵ９へ出力する。
【００５５】
  リモコン２１には、図示しないが、例えば、各コンテンツ及び各チャプターを選択するためのホーム画面となるメニュー画面（以下、コンテンツ選択画面と称する）をディスプレイ１８上に表示させるキー（以下、ホームキーと称する）や、上記コンテンツ選択画面上でマーカーを上下左右方向へ移動させるための十字キー（上キー、下キー、左キー及び右キー）や、マーカーが停止した位置の画像等の選択を決定するための決定キー、受信中のテレビ番組の音声のボリュームを調整するボリュームキー、当該テレビ番組のチャンネルを変更するチャンネルキー等のキーが設けられている。上記決定キーは、十字キーの上下左右の４つのキーの中央部に配置されてもよいし、それと同様の配置で、十字キーと決定キーとが一体に形成されていても構わない。」（１０頁）
　
（キ）「【００６２】
  そして、グラフィックコントローラ１３は、ユーザが十字キーでカテゴリーバー５１の各カテゴリーアイコン５２上でマーカー５５を移動させる毎に、当該マーカー５５が位置する（マーカー５５が所定時間停止している）カテゴリーアイコン５２の上下方向に、当該カテゴリーに含まれる複数のコンテンツの各コンテンツ代表画像５４をコンテンツバー５３として表示させる。図３は、ビデオカテゴリーアイコン５２ｃが選択された場合の様子を示している。ビデオカテゴリーのコンテンツバー５３には、ＨＤＤ７に記録された各タイトルのビデオコンテンツのコンテンツ代表画像５４（例えば、各タイトルの先頭フレームのサムネイル画像）が表示される。
【００６３】
  続いて記録再生装置１００は、ユーザから、上記表示された各コンテンツ代表画像５４上で上記マーカー５５を十字キーの上下キーにより上下方向に移動させるユーザ操作が入力されたか否かを判別する（ステップ３５）。当該ユーザ操作があった場合（ステップ３５のＹｅｓ）には、上記マーカー５５をユーザ操作に合わせて上下方向へ移動させる（ステップ３６）。このとき、各コンテンツ代表画像５４もユーザ操作に合わせて上下方向にスクロールさせる。すなわち、例えば図３に示すように、ユーザがコンテンツ代表画像５４ｃにマーカーを合わせた状態で下キーを押下した場合には、まずマーカー５５がその下のコンテンツ代表画像５４ｄに合わせられ、その後すぐに、操作前にコンテンツ代表画像５４ｃが存在していた場所にコンテンツ代表画像５４ｄ及びマーカー５５が位置するようにコンテンツバー５３全体がキー操作とは逆の上方向にスクロールする。」（１１頁）
　
（ク）「【００６５】
  次に、グラフィックコントローラ１３は、上記マーカー５５がビデオコンテンツ中のコンテンツ代表画像５４に合わせられた状態で、ユーザから当該コンテンツを選択する上記決定キーの押下操作が入力されたか否かを判別する（ステップ３７）。当該決定キーの押下操作が入力された場合（ステップ３７のＹｅｓ）には、記録再生装置１００は、ＨＤＤ７に記憶された各ビデオコンテンツの各チャプターのチャプター代表画像等のチャプター情報を読み込む（ステップ３８）。そして、当該読み込んだチャプター情報を基に、上記コンテンツ代表画像５４を始点として、各チャプター代表画像５７の一群で構成されるチャプターバー５６を上記カテゴリーバー５１と略平行に表示させる（ステップ３９）。
【００６６】
  図４は、チャプターバーが表示された場合のコンテンツ選択画面５０の例を示した図である。同図に示すように、当該各チャプター代表画像は例えば各チャプターの先頭フレームのサムネイル画像であり、コンテンツ代表画像５４から右方向へ向かって、チャプター１のチャプター代表画像５７ａ→チャプター２のチャプター代表画像５７ｂ・・・というように、チャプターの時系列順序に従って表示される。
【００６７】
  続いて、グラフィックコントローラ１３は、上記マーカー５５を、当該チャプターバー５６に移動させるように表示し（ステップ４０）、ユーザによる操作入力を待つ。ユーザから、上記マーカー５５を移動させるための十字キーの左右キーの押下操作が入力された場合（ステップ４１のＹｅｓ）には、グラフィックコントローラ１３は、当該ユーザ操作に合わせてマーカー５５を移動させる（ステップ４２）。なお、上記コンテンツバー５３と同様に、ユーザの左右キーの押下操作に合わせて、チャプターバー５６がキー操作と逆方向にスクロールするようにしても構わない。
【００６８】
  そして、グラフィックコントローラ１３は、上記マーカー５５が一のチャプター代表画像５７に合わせられた状態で、ユーザから当該チャプターを選択する上記決定キーの押下操作が入力されたか否かを判別する（ステップ４３）。当該押下操作が入力された場合（ステップ４３のＹｅｓ）には、ＣＰＵ９は、ＨＤＤ７に記録されたビデオコンテンツのＭＰＥＧファイル中から、上記選択されたチャプターのＭＰＥＧファイルを読み込み、ＭＰＥＧデコーダ１２でデコード処理を施した上で、グラフィックコントローラ１３や映像用のＤ／Ａコンバータ１４及び音声用のＤ／Ａコンバータ１５を介して、ディスプレイ１８及びスピーカ１９により上記選択されたチャプターの映像信号及び音声信号を再生させる(ステップ４４)。図４においては、コンテンツ代表画像５４ｃに対応するビデオコンテンツのチャプター２のチャプター代表画像５７ｂが選択されているため、この状態で決定キーが押下された場合には、当該チャプター２を再生させる。記録再生装置１００は、以上の動作を、ユーザから操作入力がある度に繰り返す。」（１１−１２頁）
　
　
（２）　引用発明の認定
　上記（ア）〜（ク）の記載及び関連する図面並びにこの分野の技術常識を考慮して、引用例の開示事項について検討する。
　
（ａ）　（ア）−（エ）にあるように、引用例には、記録再生装置において、受信したＭＰＥＧストリームの動画像である「タイトルのビデオコンテンツ」に係るチャプター代表画像を選択すると、対応するチャプターを先頭から再生する再生方法に関して記載されている。
　
（ｂ）　（ウ）には、タイトルのビデオコンテンツであるＭＰＥＧストリームを記録再生装置のデジタルチューナで受信することが記載されている。
　（カ）には、記録再生装置における操作入力部は、リモコンから送信される「ユーザの操作による各種設定値や指令」を入力することとともに、前記リモコンにおけるユーザの操作によってマーカーの上下左右方向への移動や、マーカーが停止した位置の画像等の選択を決定する操作が記載されていることから、上記（ア）〜（ク）の記載中におけるユーザによるマーカを移動させるための入力や、画像を選択するための入力との記載は、該入力に応じて記録再生装置がリモコンから対応する指令を受信していると言える。
　そして、（キ）の段落【００６２】には、ユーザが十字キーでカテゴリーバーの各カテゴリーアイコン上でマーカーを移動させる毎に、当該カテゴリーに含まれる複数のコンテンツの各コンテンツ代表画像をコンテンツバーとして表示させるものであり、ビデオカテゴリーアイコンが選択された場合、ビデオカテゴリーのコンテンツバーには、各タイトルのビデオコンテンツの先頭フレームのサムネイルであるコンテンツ代表画像を表示し、表示された各コンテンツ代表画像上で上記マーカーをユーザ操作に応じて移動させることが記載されている。
　また、（イ）の段落【００１５】には、表示される画面が、ユーザがコンテンツの特定のチャプターを容易かつ少ない操作で選択し、再生させるためのものであることが記載されている。
　したがって、引用例には『チューナーを介して受信したタイトルのビデオコンテンツのチャプター再生操作をユーザに容易に行わせるために、カテゴリーバーのビデオカテゴリーアイコンにマーカーを位置させる指令を記録再生装置が受信』することが記載されている。
　
（ｃ）　（オ）に記載されているように、「チャプター」とは、タイトルのビデオコンテンツであるＭＰＥＧストリームをシーンチェンジ等の切り替わり位置を区切りとして分けられた特定の区間であると言え、各チャプターの先頭フレームのサムネイル画像である「チャプター代表画像」が各チャプターに対応していることは明らかである。
　（ク）の段落【００６５】−【００６６】には、マーカーがビデオコンテンツ中のコンテンツ代表画像に合わせられた状態で、ユーザから当該コンテンツを選択する操作が入力された場合には、上記コンテンツ代表画像を始点として、各チャプター代表画像の一群で構成されるチャプターバーをカテゴリーバーと略平行に表示させるものであり、当該各チャプター代表画像は各チャプターの先頭フレームのサムネイル画像であり、上記コンテンツ代表画像から右方向へ向かって、チャプターの時系列順序に従って表示されることが記載されている。
　（キ）の段落【００６２】には、「コンテンツ代表画像」が各タイトルの先頭フレームのサムネイル画像であることが記載されている。
　したがって、引用例には『タイトルのビデオコンテンツのコンテンツ代表画像を先頭に、前記タイトルのビデオコンテンツの異なるチャプター代表画像を時系列順序に一列に並べて表示』すること、及び、『前記コンテンツ代表画像が、タイトルのビデオコンテンツの先頭フレームのサムネイル画像』であることが記載されている。
　
（ｄ）　（ク）の段落【００６７】−【００６８】には、ユーザによる操作入力に応じて、チャプターバー上でマーカーを移動させ、上記マーカーが一のチャプター代表画像に合わせられた状態で、ユーザから当該チャプターを選択する操作入力がされた場合、上記選択されたチャプターのＭＰＥＧファイルを読み込み、デコード処理を施した上で、上記選択されたチャプターの映像信号及び音声信号を再生させることが記載されている。
　また、（イ）には、選択されたチャプターを先頭フレームから再生させることが記載されている。
　よって、引用例には『一列に並べて表示されたチャプター代表画像のユーザによる選択を受信すると、前記選択されたチャプター代表画像に対応する前記タイトルのビデオコンテンツのチャプターを先頭フレームから再生させる』ことが記載されている。
　
　したがって、（ａ）−（ｄ）を総合すると、上記引用例には、以下の発明（以下、「引用発明」という。）が開示されている。
「チューナーを介して受信したタイトルのビデオコンテンツのチャプター再生操作をユーザに容易に行わせるために、カテゴリーバーのビデオカテゴリーアイコンにマーカーを位置させる指令を記録再生装置が受信し、
タイトルのビデオコンテンツのコンテンツ代表画像を先頭に、前記タイトルのビデオコンテンツの異なるチャプター代表画像を時系列順序に一列に並べて表示し、
前記コンテンツ代表画像が、タイトルのビデオコンテンツの先頭フレームのサムネイル画像であって、
前記一列に並べて表示されたチャプター代表画像のユーザによる選択を受信すると、
前記選択されたチャプター代表画像に対応する前記タイトルのビデオコンテンツのチャプターを先頭フレームから再生させる
方法」
　
　
第４　対比・判断
　本願発明と引用発明とを対比する
ア．引用発明の「タイトルのビデオコンテンツ」はチューナーを介して受信されたものであることから、本願発明の「テレビ用メディアコンテンツ」に相当する。
　また、引用発明の、カテゴリーバーのビデオカテゴリーアイコンにマーカーを位置させることによって開始される、タイトルのビデオコンテンツのコンテンツ代表画像の表示から、選択されたチャプター代表画像に対応するチャプターを先頭から再生させるまでの一連の処理におけるユーザに対する表示は、チャプターの再生をユーザに容易に行わせるための表示であることから、タイトルのビデオコンテンツに関するユーザへの再生の案内、すなわちタイトルのビデオコンテンツに関するナビゲーションであると言える。
　したがって、引用発明の「チューナーを介して受信したタイトルのビデオコンテンツのチャプター再生操作をユーザに容易に行わせるために、カテゴリーバーのビデオカテゴリーアイコンにマーカーを位置させる指令を記録再生装置が受信」することは、本願発明における「テレビ用メディアコンテンツに関するナビゲーション表示動作を開始する視聴者選択可能コマンドを受信するステップ」に相当する。
　
イ．引用発明の「チャプター」は、上記（ｃ）で述べたように、タイトルのビデオコンテンツをシーンチェンジ等の切り替わり位置を区切りとして分けられた「特定区間」である点において、本願発明の「セグメント」と共通する。
　また、引用発明の「チャプター代表画像」は、上記（ｃ）で述べたように、チャプターに対応した画像であることは明らかであり、テレビ用メディアコンテンツの異なる区間にそれぞれ対応した画像である点から本願発明の「シーン画像」に相当する。
　さらに、引用発明における、時系列順序に一列に並べられた「チャプター代表画像」がタイトルのビデオコンテンツの各チャプターの順番、すなわちシーケンスを示していることは明らかである。
　
　また、本願発明の、「要約画像」は、「タイトル、ロゴ、又は、画像によってテレビ用メディアコンテンツを特定する要約画像」であり、本願明細書段落【００２０】においても同様の記載しかなされていないことから、記載通り把握されるべきものであり、「タイトル」、「ロゴ」、又は、「画像」のいずれかによって「テレビ用メディアコンテンツを特定するものである。
　一方、引用発明の「コンテンツ代表画像」は、コンテンツバーとして表示された各コンテンツ代表画像の中からタイトルのビデオコンテンツ選択のために表示されるものであることから、タイトルのビデオコンテンツを特定するものであると言え、さらに当該「コンテンツ代表画像」は「タイトルのビデオコンテンツの
先頭フレーム
画像
（下線は当審が付与した。）
　
　以上より、引用発明の「タイトルのビデオコンテンツのコンテンツ代表画像を先頭に、前記タイトルのビデオコンテンツの異なるチャプター代表画像を時系列順序に一列に並べて表示し、前記コンテンツ代表画像が、タイトルのビデオコンテンツの先頭フレームのサムネイル画像」は、「前記テレビ用メディアコンテンツの異なる特定区間にそれぞれ対応するシーン画像のプログラム特定区間表示バーを生成するステップであって、前記シーン画像が前記プログラム特定区間表示バーに表示されて前記テレビ用メディアコンテンツのシーケンスを示すステップであって、当該プログラム特定区間表示バー内のシーン画像が、テレビ用メディアコンテンツのビデオストリームの開始部分から選択されたビデオフレームから生成されるものであって、前記プログラム特定区間表示バーがタイトル、ロゴ、又は、画像によってテレビ用メディアコンテンツを特定する要約画像を含むもの」である点で本願発明における「前記テレビ用メディアコンテンツの異なるセグメントにそれぞれ対応するシーン画像のプログラムセグメント表示バーを生成するステップであって、前記シーン画像が前記プログラムセグメント表示バーに表示されて前記テレビ用メディアコンテンツのシーケンスを示すステップであって、当該プログラムセグメント表示バー内のシーン画像が、テレビ用メディアコンテンツのビデオストリームの開始部分から選択されたビデオフレームから生成されるものであって、前記プログラムセグメント表示バーがタイトル、ロゴ、又は、画像によってテレビ用メディアコンテンツを特定する要約画像を含むもの」と共通し、「特定区間」に関し、本願発明が「セグメント」であるのに対し、引用発明においては「チャプター」である点で相違する。
　
ウ．引用発明の「前記一列に並べて表示されたチャプター代表画像のユーザによる選択を受信する」ことは、「前記プログラム特定区間表示バーからのシーン画像の視聴者選択を受信するステップ」である点で本願発明における「前記プログラムセグメント表示バーからのシーン画像の視聴者選択を受信するステップ」と共通し、「特定区間」に関し、本願発明が「セグメント」であるのに対し、引用発明においては「チャプター」である点で相違する。
　
エ．引用発明における「前記選択されたチャプター代表画像に対応する前記タイトルのビデオコンテンツのチャプターを先頭フレームから再生させる」ことについて、コンテンツの特定位置からの「再生」は、読み取り位置をコンテンツの特定位置に「移行」させることと、特定位置から読み取られたコンテンツを映像として生成する、すなわち「レンダリング」することを含むものであることから、「前記選択されたシーン画像に対応する前記テレビ用メディアコンテンツの前記特定区間の開始部分に移行するステップと、前記選択されたシーン画像に対応する前記テレビ用メディアコンテンツの前記特定区間の前記開始部分から表示用に前記メディアコンテンツをレンダリング（rendering）するステップ」である点で本願発明における「前記選択されたシーン画像に対応する前記テレビ用メディアコンテンツの前記セグメントの開始部分に移行するステップと、前記選択されたシーン画像に対応する前記テレビ用メディアコンテンツの前記セグメントの前記開始部分から表示用に前記メディアコンテンツをレンダリング（rendering）するステップ」と共通し、「特定区間」に関し、本願発明が「セグメント」であるのに対し、引用発明においては「チャプター」である点で相違する。
　
　したがって、本願発明と引用発明とは、以下の点で一致ないし相違している。
（一致点）
　「テレビ用メディアコンテンツに関するナビゲーション表示動作を開始する視聴者選択可能コマンドを受信するステップと、
　前記テレビ用メディアコンテンツの異なる特定区間にそれぞれ対応するシーン画像のプログラム特定区間表示バーを生成するステップであって、前記シーン画像が前記プログラム特定区間表示バーに表示されて前記テレビ用メディアコンテンツのシーケンスを示すステップであって、当該プログラム特定区間表示バー内のシーン画像が、テレビ用メディアコンテンツのビデオストリームの開始部分から選択されたビデオフレームから生成されるものであって、前記プログラム特定区間表示バーがタイトル、ロゴ、又は、画像によってテレビ用メディアコンテンツを特定する要約画像を含むものと、
　前記プログラム特定区間表示バーからのシーン画像の視聴者選択を受信するステップと、
　前記選択されたシーン画像に対応する前記テレビ用メディアコンテンツの前記特定区間の開始部分に移行するステップと、
　前記選択されたシーン画像に対応する前記テレビ用メディアコンテンツの前記特定区間の前記開始部分から表示用に前記メディアコンテンツをレンダリング（rendering）するステップと
を含む方法。」
　
（相違点）
（１）　テレビ用メディアコンテンツにおける「特定区間」に関し、本願発明は「セグメント」であるのに対し、引用発明においては「チャプター」である点で相違する。
　
（２）　「プログラム特定区間表示バー」に関し、本願発明は「プログラムセグメント表示バー」であるのに対し、引用発明においては、「タイトルのビデオコンテンツのコンテンツ代表画像を先頭に、前記タイトルのビデオコンテンツの異なるチャプター代表画像を時系列順序に一列に並べて表示」するものである点で相違する。
　
　そこで、上記相違点（１）、（２）について検討する。
　相違点（１）と相違点（２）はいずれも、テレビ用メディアコンテンツの再生を開始する単位となる特定区間が本願発明では「セグメント」であるのに対し、引用発明では「チャプター」である点に起因する。
　そして、本願明細書段落【００１６】には「シーン画像１１２は、テレビ用メディアコンテンツの異なるセグメントにそれぞれ対応し、そこでは
セグメントはテレビ用メディアコンテンツの任意の長さ（数秒、数分など）であり得る。
１つの実施態様において、テレビ用メディアコンテンツのセグメントの長さは、視聴者が設定できる。
視聴者の設定した任意
　一方、引用発明の「チャプター」は上記（ｃ）で認定したように、シーンチェンジ等、タイトルのビデオコンテンツから検出された特徴に応じて区切られた区間、すなわち
コンテンツの内容に応じて一意に設定される
　以上より、上記相違は、テレビ用メディアコンテンツの再生を開始する単位となる特定区間が視聴者の設定した任意の区間であるか、コンテンツの内容に応じて一意に設定される区間であるかの相違であると整理できる。
　
　ここで、テレビ用メディアコンテンツの再生を開始する単位となる特定区間を設定するに際し、該区間を視聴者が任意に設定することも、シーンチェンジ等コンテンツの内容に応じて一意に設定することもいずれも周知の技術に過ぎない。例えば、特開２００７−２２１５４４号公報（特に、段落【０００３】−【０００４】には番組録画装置において、ランダム再生のためにチャプタを挿入する手法として、シーンの切り替わり等の内容の解析に基づく手法とともに、ユーザによって手動でチャプタを挿入する手法が記載されている）、特開２００６−８６６１２号公報（特に、段落【０００３】−【０００４】には放送番組を録画した場合に、コンテンツ中の所望の部分を再生させるために選択するチャプターを、ユーザの操作入力により所望の位置に設定することともに、シーンチェンジを検出して設定することが記載されている）に記載されている。
　したがって、上記テレビ用メディアコンテンツの再生を開始する単位となる特定区間を設定する周知の技術を引用発明に適用して、引用発明におけるチャプターをユーザが任意に設定するようにすることは当業者が容易に想到しうるものである。
　
　そして、本願発明が奏する効果は、その容易想到である構成から当業者が容易に予測し得る範囲のものであり、同範囲を超える顕著なものでもない。　
　
第５　むすび
　以上のとおりであるから、本願発明は引用発明及び上記周知技術に基いて容易に発明をすることができたものであるから、特許法第２９条第２項の規定により、特許を受けることができない。
　よって、結論の通り審決する。